(57)【特許請求の範囲】
【請求項１】
エレベーターのロープが巻き掛けられた綱車を支持した回転軸を有し、支持体が前記回転軸の端部を着脱自在に支持した巻上機において、前記回転軸に取り付けられたブレーキドラムと、
前記ブレーキドラムの下方に配置されたブレーキシューと、
前記ブレーキシューを下方から支持したアーマチュアと、
前記アーマチュアに対して前記ブレーキシューが前記ブレーキドラムに近づく方向の荷重を発生させるばねと、
前記アーマチュアの下方に配置され、前記ブレーキシューが前記ブレーキドラムから離れる方向に磁力により前記アーマチュアを吸引するフィールドと、
前記ブレーキシューが前記ブレーキドラムに接触する位置まで前記アーマチュアを移動させた状態で前記アーマチュアを下方から支持するアーマチュア支持体と、
を備え、
前記アーマチュア支持体は、前記フィールドに下方からねじ込まれ、上端部で前記アーマチュアを下方から支持したエレベーターのブレーキ装置。
【請求項２】
前記アーマチュア支持体は、水平投影面上において前記回転軸と重なる位置に配置された、
請求項１に記載のエレベーターのブレーキ装置。
【発明の詳細な説明】
【技術分野】
【０００１】
この発明は、エレベーターのブレーキ装置に関する。
【背景技術】
【０００２】
特許文献１は、エレベーターの巻上機を開示する。当該巻上機は、着脱自在な支持体を備える。当該支持体は、巻上機の回転軸を支持する。
【先行技術文献】
【特許文献】
【０００３】
【特許文献１】日本特開２０１１−７３８５６号公報
【発明の概要】
【発明が解決しようとする課題】
【０００４】
しかしながら、特許文献１に記載の巻上機においては、支持体が取り外された場合に、綱車に巻き掛けられたロープからの荷重により、回転軸がたわむ。このため、支持体を一時的に取り外した後に取り付け直す作業が困難となる。【０００５】
この発明は、上述の課題を解決するためになされた。この発明の目的は、支持体が取り外された際に回転軸がたわむことを抑制できるエレベーターのブレーキ装置を提供することである。
【課題を解決するための手段】
【０００６】
この発明に係るエレベーターのブレーキ装置は、エレベーターのロープが巻き掛けられた綱車を支持した回転軸を有し、支持体が前記回転軸の端部を着脱自在に支持した巻上機において、前記回転軸に取り付けられたブレーキドラムと、前記ブレーキドラムの下方に配置されたブレーキシューと、前記ブレーキシューを下方から支持したアーマチュアと、前記アーマチュアに対して前記ブレーキシューが前記ブレーキドラムに近づく方向の荷重を発生させるばねと、前記アーマチュアの下方に配置され、前記ブレーキシューが前記ブレーキドラムから離れる方向に磁力により前記アーマチュアを吸引するフィールドと、前記ブレーキシューが前記ブレーキドラムに接触する位置まで前記アーマチュアを移動させた状態で前記アーマチュアを下方から支持するアーマチュア支持体と、を備え、前記アーマチュア支持体は、前記フィールドに下方からねじ込まれ、上端部で前記アーマチュアを下方から支持した。
【発明の効果】
【０００７】
この発明によれば、巻上機の回転軸は、ブレーキ装置に支持される。このため、支持体が取り外された際に回転軸がたわむことを抑制できる。
【図面の簡単な説明】
【０００８】
【図１】実施の形態１におけるエレベーターのブレーキ装置が適用されるエレベーターの巻上機の側面図である。
【図２】実施の形態１におけるエレベーターのブレーキ装置が適用されるエレベーターの巻上機の側面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１におけるエレベーターのブレーキ装置が適用されるエレベーターの巻上機の側面図である。
【００１１】
図１において、エレベーターの巻上機１は、機械室に設けられる。巻上機１は、ハウジング２と回転軸３と綱車４と支持体５とブレーキ装置６と角度検出器７を備える。
【００１２】
ハウジング２は、機械室の床面に設けられた台Ａに支持される。ハウジング２は、巻上機１の駆動部を収納する。回転軸３は、巻上機１の駆動部から水平方向に延びる。綱車４は、巻上機１の回転軸３に支持される。支持体５は、台Ａに着脱自在に支持される。支持体５は、回転軸３の先端部を着脱自在に支持する。
【００１３】
ブレーキ装置６は、ブレーキドラム６ａとブレーキシュー６ｂとアーマチュア６ｃと複数のばね６ｄとフィールド６ｅとアーマチュア支持体６ｆを備える。
【００１４】
ブレーキドラム６ａは、回転軸３に取り付けられる。ブレーキシュー６ｂは、ブレーキドラム６ａの下方に配置される。アーマチュア６ｃは、ブレーキシュー６ｂを下方から支持する。複数のばね６ｄは、アーマチュア６ｃの下方に配置される。フィールド６ｅは、複数のばね６ｄの下方に配置される。アーマチュア支持体６ｆは、フィールド６ｅに設けられる。
【００１５】
複数のばね６ｄは、アーマチュア６ｃに対してブレーキシュー６ｂがブレーキドラム６ａに近づく方向の荷重を発生させる。フィールド６ｅは、ブレーキシュー６ｂがブレーキドラム６ａから離れる方向に磁力によりアーマチュア６ｃを吸引する。
【００１６】
角度検出器７は、回転軸３の先端部に取り付けられる。角度検出器７は、回転軸３の回転角度を計測し得るように設けられる。複数のロープ８は、綱車４に巻き掛けられる。かご９は、複数のロープ８の一側に支持される。釣合いおもり１０は、複数のロープ８の他側に支持される。
【００１７】
巻上機１の駆動部が駆動すると、回転軸３が回転する。回転軸３が回転すると、綱車４が回転する。綱車４が回転すると、ロープ８が移動する。ロープ８が移動すると、かご９と釣合いおもり１０とが互いに反対方向に昇降する。
【００１８】
巻上機１の駆動部が停止すると、回転軸３の回転が停止する。回転軸３の回転が停止すると、綱車４の回転が停止する。綱車４の回転が停止すると、ロープ８の移動が停止する。ロープ８の移動が停止すると、かご９と釣合いおもり１０との昇降が停止する。
【００１９】
この状態において、フィールド６ｅは、アーマチュア６ｃの吸引を解放する。その結果、アーマチュア６ｃは、アーマチュア６ｃからの荷重によりブレーキドラム６ａに近づく。この際、ブレーキシュー６ｂは、ブレーキドラム６ａに接触する。その結果、ブレーキドラム６ａは、制止保持される。
【００２０】
次に、図２を用いて、巻上機１の部品の交換作業を説明する。
図２は実施の形態１におけるエレベーターのブレーキ装置が適用されるエレベーターの巻上機の側面図である。
【００２１】
図２に示されるように、アーマチュア支持体６ｆは、水平投影面上において回転軸３と重なる位置に配置される。例えば、アーマチュア支持体６ｆは、ボルトである。
【００２２】
巻上機１の部品が交換される際、支持体５は、一時的に取り外される。例えば、角度検出器７が交換される際、支持体５は、一時的に取り外される。
【００２３】
この際、作業員は、アーマチュア支持体６ｆを操作することにより、ブレーキシュー６ｂがブレーキドラム６ａに接触する位置までアーマチュア６ｃを移動させる。例えば、作業員は、ボルトをフィールド６ｅの下方から締め込む。この際、アーマチュア支持体６ｆは、アーマチュア６ｃをジャッキアップする。ブレーキシュー６ｂは、アーマチュア６ｃに追従して上昇する。その結果、ブレーキシュー６ｂは、ブレーキドラム６ａに接触する。
【００２４】
この状態において、作業員は、支持体５を取り外す。回転軸３からの荷重が支持体５にかかることにより支持体５が取り外しにくい場合、作業員は、アーマチュア支持体６ｆをさらに操作する。例えば、作業員は、ボルトをフィールド６ｅの下方からさらに締め込む。この際、ボルトは、アーマチュア６ｃをさらにジャッキアップする。
【００２５】
この状態において、作業員は、既設の角度検出器７を回転軸３の先端部から取り外す。その後、作業員は、新設の角度検出器７を回転軸３の先端部に取り付ける。
【００２６】
その後、作業員は、支持体５を元の位置に取り付ける。その結果、支持体５は、回転軸３の先端部を支持する。
【００２７】
その後、作業員は、アーマチュア支持体６ｆを操作することにより、ブレーキシュー６ｂがブレーキドラム６ａに接触しない元の位置までアーマチュア６ｃを移動させる。例えば、作業員は、ボルトを緩めることにより、ブレーキシュー６ｂがブレーキドラム６ａに接触しない元の位置までアーマチュア６ｃを移動させる。
【００２８】
以上で説明した実施の形態１によれば、回転軸３は、ブレーキ装置６に支持される。このため、支持体５が取り外された際に回転軸３がたわむことを抑制できる。
【００２９】
また、アーマチュア支持体６ｆは、回転軸３にかかる鉛直荷重を直接的に支持する。このため、アーマチュア支持体６ｆを大きくすることなく、支持体５が取り外された際に回転軸３がたわむことを最小限の構造で抑制できる。その結果、巻上機１の構造部材の大型化を回避することができる。
【００３０】
また、アーマチュア支持体６ｆは、フィールド６ｅに下方からねじ込まれる。この際、アーマチュア支持体６ｆの上端部は、アーマチュア６ｃを下方から支持する。このため、ねじ込む長さを変更することで、アーマチュア支持体６ｆの位置を簡単に調整することができる。その結果、支持体５が取り外された際に回転軸３がたわむことをより確実に抑制できる。
【００３１】
なお、複数のブレーキ装置６で回転軸３を支持してもよい。この場合、支持体５が取り外された際に回転軸３がたわむことをより確実に抑制できる。
【産業上の利用可能性】
【００３２】
以上のように、この発明に係るエレベーターのブレーキ装置は、エレベーターに利用できる。
【符号の説明】
【００３３】
１  巻上機、  ２  ハウジング、  ３  回転軸、  ４  綱車、  ５  支持体、  ６  ブレーキ装置、  ６ａ  ブレーキドラム、  ６ｂ  ブレーキシュー、  ６ｃ  アーマチュア、  ６ｄ  ばね、  ６ｅ  フィールド、  ６ｆ  アーマチュア支持体、  ７  角度検出器、  ８  ロープ、  ９  かご、  １０  釣合いおもり
【要約】
支持体が取り外された際回転軸がたわむことを抑制できるエレベーターのブレーキ装置を提供する。エレベーターのブレーキ装置は、エレベーターのロープが巻き掛けられた綱車を支持した回転軸を有し、支持体が回転軸の端部を着脱自在に支持した巻上機において、回転軸に取り付けられたブレーキドラムと、ブレーキドラムの下方に配置されたブレーキシューと、ブレーキシューを下方から支持したアーマチュアと、アーマチュアに対してブレーキシューがブレーキドラムに近づく方向の荷重を発生させるばねと、アーマチュアの下方に配置され、ブレーキシューがブレーキドラムから離れる方向に磁力によりアーマチュアを吸引するフィールドと、ブレーキシューがブレーキドラムに接触する位置までアーマチュアを移動させた状態でアーマチュアを下方から支持するアーマチュア支持体と、を備えた。【図１】
0006658997.tif 000002
【図２】
0006658997.tif 000003